(57)【要約】【課題】  特定の販売ターゲットに対して、確実に試供品及び懸賞品等を受け渡すことが可能であり、高い宣伝広告効果を得ることができると共に、試供品及び懸賞品等の製造量を必要最小限することで、販売促進費用を大幅に削減可能な販売促進システムを提供する。【解決手段】  サーバ装置と、上記サーバ装置に広域ネットワークを介して接続しうる携帯端末装置とから構成され、  上記サーバ装置は、上記携帯端末装置に対して所定の項目の入力を要求する入力項目要求手段と、上記携帯端末装置から入力された上記所定の項目の入力データを受信する入力項目受信手段と、上記携帯端末装置に対してくじゲーム画面を表示するくじゲーム画面表示手段と、上記入力項目受信手段で入力された項目を解析し、その解析結果に応じてくじの当否を決定する当否決定手段と、上記携帯端末装置に上記くじの当否結果を送信する当否結果送信手段とを備えた構成とする。【選択図】  図１
2011085965.tif 000002
【特許請求の範囲】
【請求項１】
サーバ装置と、上記サーバ装置に広域ネットワークを介して接続しうる携帯端末装置とから構成され、
上記サーバ装置は、上記携帯端末装置に対して所定の項目の入力を要求する入力項目要求手段と、上記携帯端末装置から入力された所定の入力項目を受信する入力項目受信手段と、上記携帯端末装置に対してくじゲーム画面を表示するくじゲーム画面表示手段と、上記入力項目受信手段で入力された項目を解析し、その解析結果に応じてくじの当否を決定する当否決定手段と、上記携帯端末装置に上記くじの当否結果を送信する当否結果送信手段とを備えることを特徴とする販売促進システム。
【請求項２】
上記サーバ装置は、接続した携帯端末装置の固有情報を取得して保存する携帯端末装置情報保存手段と、新たな携帯端末装置からの接続要求があった場合に、上記携帯端末装置情報保存手段によって保存された携帯端末固有情報保存データと、新たに接続された携帯端末装置の固有情報とを比較することによって、既に接続済みであるか否かを判別すると共に、重複接続であった場合は、接続を禁止する重複接続防止手段とを備えることを特徴とする請求項１に記載の販売促進システム。
【請求項３】
上記携帯端末装置は、二次元コードの読み取り手段を備え、上記二次元コードに記録された上記サーバ装置への接続用アドレスを読み込むことによって、上記サーバ装置に接続することを特徴とする請求項１または２いずれか１項に記載の販売促進システム。
【請求項４】
上記入力項目要求手段によって要求される入力項目には、上記携帯端末装置の使用者の個人情報と、商品毎に設定されるアンケート情報との少なくとも一方が含まれることを特徴とする請求項１記載の販売促進システム。
【請求項５】
上記個人情報には、上記携帯端末装置の使用者の氏名、住所、年齢、国籍、性別、メールアドレス、生年月日、家族構成、趣味、食物嗜好、学歴、年収のうち少なくとも一つが含まれていることを特徴とする請求項４記載の販売促進システム。
【請求項６】
上記入力項目は、複数の階層から構成され、
上位階層の入力項目の入力内容によって、下位階層の入力項目を決定する入力項目制御手段を備えることを特徴とする請求項１に記載の販売促進システム。
【発明の詳細な説明】
【技術分野】
【０００１】
本発明は、販売促進用の試供品及び懸賞品等を特定のターゲット顧客に配布する販売促進システムに関する。
【背景技術】
【０００２】
商品等の販売促進を目的として、試供品及び懸賞品等を配布する場合、上記商品等の購入者層に対して、的確に上記試供品及び懸賞品等が受け渡されることが、高い販売促進効果を得る上で非常に重要である。
一般的に、路上等において販売促進用の試供品及び懸賞品等を配布する場合には、配布者が通行者の年齢、性別等を外観で判断して配布ターゲットを絞り込み、配布先を限定している。
しかしながら、年齢等を外観のみで判断することは困難であると共に、特定の趣味、嗜好等によって販売ターゲットが限定される場合には、外観での判別は不可能であることから、上記試供品及び懸賞品等を受領した者が、必ずしも当該商品等に興味を有している販売ターゲットであるとは限らず、当該商品に興味が無い者へ試供品及び懸賞品等を配布した場合には、期待する宣伝広告効果を得ることができず、多量の試供品及び懸賞品等の製造、及び配布が必要であるため、結果的に販売促進費用の増大を招くという不具合を有していた。
【０００３】
また、近年、数値等の所定の接続コードが印字されたシール等を、商品パッケージに貼付して当該商品を販売し、商品購入者が上記商品の販売者サイトに携帯端末装置等を用いて接続して、上記接続コードを入力することによって懸賞くじゲーム等に挑戦できる形態の懸賞システムが存在している。
しかしながら、上記懸賞システムにあっては、当該商品の購入者は、偶発的に当該商品を購入した可能性もあり、また、懸賞品目当ての購入者も現れるため、必ずしも将来にわたって当該商品の販売ターゲットとなりうる保障はない。
上記の状態にも関わらず、懸賞くじシステムにおいては、上記接続コードによって当否が一意的に決定されるか、若しくは乱数等の手段によって偶発的に当否を決定するため、適切な販売ターゲットに対し、確実に試供品及び懸賞品等を受け渡すことは困難であり、上記不具合を完全に解決できなかった。
【０００４】
一方、図５に示すように、くじ販売サーバ５２と、上記くじ販売サーバ５２に通信回線５１を介して接続しうる、くじ購入端末５３とからなる、くじシステム５０が提案されている（特許文献１）。
上記くじ購入端末５３は、くじ購入者等の属性等を入力しうるパラメータ獲得手段５４と、くじ購入要求を出力するくじ購入手段５５と、上記パラメータ獲得手段５４で獲得されたパラメータと、上記くじ購入手段５５より出力されたくじ購入要求とを、上記通信回線５１を介して上記くじ販売サーバ５２に送信する通信手段５６とを備えている。
また、上記くじ販売サーバ５２は、上記くじ購入端末５３の通信手段５６か
ら出力されたくじ購入要求及びパラメータを、上記通信回線５１を介して受信する通信制御手段５７と、上記通信制御手段５７で受信したくじ要求情報に基づいて、くじ番号を発行する番号発行手段５８と、上記くじ購入端末５３のパラメータ獲得手段５４で獲得された以外のパラメータを設定する追加パラメータ獲得手段５９と、上記番号発行手段５８で発行されたくじ番号を保存するくじ記録手段６０とを備えている。
【０００５】
上記特許文献１に係るくじシステム５０は、上記パラメータ獲得手段５４及び上記追加パラメータ獲得手段５９にて獲得した各種パラメータにかかる情報を確率計算関数の引数とし、上記パラメータの内容によって、くじの当選確率を変動させることを特徴としている。
上記パラメータの種類としては、例えばくじ購入者等の個人情報である、年齢、性別、住所、生年月日、家族構成、星座等の情報、及びくじ購入者等の購入場所、購入時の気候情報である気温、湿度等の環境情報等がある。
【０００６】
上記特許文献１に係るくじシステム５０によれば、例えば、くじ購入時に、くじを購入した位置によって当選確率を変動させることによって、購入者を特定のエリアに移動させ、当該エリアにおける集客率を向上させる等の効果が期待される旨が記載されている。
【０００７】
しかしながら、上記特許文献に係るくじシステム５０においては、上記パラメータは、あくまで確率計算用の関数の引き数として考慮されているものであることから、例えば、懸賞システム等に応用した場合であっても、くじの当否には、常に偶発的要素が存在している。
従って、試供品及び懸賞品等を配布する場合に、販売ターゲット以外の顧客に当選を出してしまう虞は解消されておらず、上記の不具合を解消することは困難であった。
【特許文献１】特開２００３−２３３６９４号
【発明の開示】
【発明が解決しようとする課題】
【０００８】
本発明の解決する課題は、特定の販売ターゲットに対して、確実に試供品及び懸賞品等を受け渡すことが可能であり、高い宣伝広告効果を得ることができると共に、試供品及び懸賞品等の製造量を必要最小限することで、販売促進費用を大幅に削減可能な販売促進システムを提供することにある。
【課題を解決するための手段】
【０００９】
上記課題を解決するために、請求項１の発明にかかる販売促進システムは、サーバ装置と、上記サーバ装置に広域ネットワークを介して接続しうる携帯端末装置とから構成され、上記サーバ装置は、上記携帯端末装置に対して所定の項目の入力を要求する入力項目要求手段と、上記携帯端末装置から入力された、所定の入力項目を受信する入力項目受信手段と、上記携帯端末装置に対して、くじゲーム画面を表示するくじゲーム画面表示手段と、上記入力項目受信手段で入力された項目を解析し、その解析結果に応じてくじの当否を決定する当否決定手段と、上記携帯端末装置に上記くじの当否結果を送信する当否結果送信手段とを備えることを特徴とする。
【００１０】
上記くじの当否は、上記入力情報の解析結果のみによって決定され、乱数等の確立的要素が関わることがない。
従って、システムの使用者において予め設定した条件に従い、当否を自由にコントロールすることができる。
【００１１】
また、請求項２の発明にかかる販売促進システムは、上記サーバ装置は、接続した携帯端末装置の固有情報を取得して保存する携帯端末装置情報保存手段と、新たな携帯端末装置からの接続要求があった場合に、上記携帯端末装置情報保存手段によって保存された携帯端末固有情報保存データと、新たに接続された携帯端末装置の固有情報とを比較することによって、既に接続済みであるか否かを判別すると共に、重複接続であった場合は、接続を禁止する重複接続防止手段とを備えることを特徴とする。
従って、同一の携帯端末装置の場合、重複して上記サーバ装置に接続することができない。
【００１２】
また、請求項３の発明にかかる販売促進システムは、上記携帯端末装置は、二次元コードの読み取り手段を備え、上記二次元コードに記録された上記サーバ装置への接続用アドレスを読み込むことによって、上記サーバ装置に接続することを特徴とする。
従って、上記サーバの接続用アドレス等を手で入力する必要がない。
【００１３】
また、請求項４の発明にかかる販売促進システムは、上記入力項目要求手段によって要求される入力項目には、上記携帯端末装置の使用者の個人情報と、商品毎に設定されるアンケート情報との少なくとも一方が含まれることを特徴とする。
従って、上記携帯端末装置の使用者のうち、特定の個人情報を有する者、若しくは所定アンケート結果を入力した者のみを判別することができる。
【００１４】
また、請求項５の発明にかかる販売促進システムは、上記個人情報には、上記携帯端末装置の使用者の氏名、住所、年齢、国籍、性別、メールアドレス、生年月日、家族構成、趣味、食物嗜好、学歴、年収のうち少なくとも一つが含まれていることを特徴とする。
従って、上記くじの当否に必要な情報のみを選択して取得することができる。
【００１５】
また、請求項６の発明にかかる販売促進システムは、上記入力項目は、複数の階層から構成され、上位階層の入力項目の入力内容によって、下位階層の入力項目を決定する入力項目制御手段を備えることを特徴とする。
従って、上記くじの当否条件を階層的に組み立てることで、当否内容をより詳細に設定することができる。
【発明の効果】
【００１６】
請求項１の発明にあっては、サーバ装置と、上記サーバ装置に広域ネットワークを介して接続しうる携帯端末装置とから構成され、上記サーバ装置は、上記携帯端末装置に対して所定の項目の入力を要求する入力項目要求手段と、上記携帯端末装置から入力された上記所定の項目の入力データを受信する入力項目受信手段と、上記携帯端末装置に対してくじゲーム画面を表示するくじゲーム画面表示手段と、上記入力項目受信手段で入力された項目を解析し、その解析結果に応じてくじの当否を決定する当否決定手段と、上記携帯端末装置に上記くじの当否結果を送信する当否結果送信手段とを備えることから、くじの当否判断において、確率的要素は一切含まれず、システムの使用者において予め設定した条件に従って、くじの当否を自在にコントロールすることができる。
従って、特定の販売ターゲットに対して、確実に試供品及び懸賞品等若しくは試供品及び懸賞品等を受け渡すことが可能であり、高い宣伝広告効果を得ることができると共に、試供品及び懸賞品等の製造量を必要最小限にできるため、販売促進費用を大幅に削減可能な販売促進システムを提供することができる。
【００１７】
また、請求項２の発明にあっては、接続した携帯端末装置の固有情報を取得して保存する携帯端末装置情報保存手段と、新たな携帯端末装置からの接続要求があった場合に、上記携帯端末装置情報保存手段によって保存された携帯端末固有情報保存データと、新たに接続された携帯端末装置の固有情報とを比較することによって、既に接続済みであるか否かを判別すると共に、重複接続であった場合は、接続を禁止する重複接続防止手段とを備えることによって、同一の携帯端末装置からの重複接続を防止し、同一人に複数の試供品及び懸賞品等が渡らないようにすることができる。
従って、より効率的に試供品及び懸賞品等を配布することができるため、販売促進費用を更に削減することが可能となる。
【００１８】
また、請求項３の発明にあっては、上記携帯端末装置は、二次元コードの読み取り手段を備え、上記二次元コードに記録された上記サーバ装置への接続用アドレスを読み込むことによって、上記サーバ装置に接続することから、上記サーバの接続用を容易に行うことができるため、くじへ確実に参加させることができる。
【００１９】
また、請求項４の発明にあっては、上記入力項目には上記携帯端末装置の使用者の個人情報と、商品毎に設定されるアンケート情報との少なくとも一方が含まれることから、個人情報若しくは商品に対するアンケート結果に基づいて、より的確に販売ターゲットを絞り込むことができる。従って、試供品及び懸賞品等の配布を更に効率的に行うことができる。
【００２０】
また、請求項５の発明にあっては、上記個人情報には、上記携帯端末装置の使用者の氏名、住所、年齢、国籍、性別、メールアドレス、生年月日、家族構成、趣味、食物嗜好、学歴、年収のうち少なくとも一つが含まれていることを特徴とする。
従って販売対象商品毎に、より細かくくじの当否条件を限定することができるため、更に試供品及び懸賞品等の配布を効率的に行うことができる。
【００２１】
また、請求項６の発明の発明にあっては、上記入力項目は、複数の階層から構成され、上位階層の入力項目の入力内容によって、下位階層の入力項目を決定する入力項目制御手段を備えることから、当否内容に順位をつける、若しくは複数の種類の試供品及び懸賞品等に対して当否を振り分けるといった、より柔軟な当否制御が可能となる。
従って、例えば、異なる販売ターゲットに対して同時にキャンペーンを行う等も可能となり、より効率的に販売促進作業を行うことができる。
【図面の簡単な説明】
【００２２】
【図１】本発明の一実施の形態を示し、実施例の形態における販売促進システムの機能相関を表すシステム相関図である。
【図２】本実施例における、入力情報解析手段の動作例を示す一例を示すフローチャート図である。
【図３】本実施例の形態における携帯電話機に表示される画面イメージの遷移例を示す概念図である。
【図４】本実施例の形態における入力項目の階層例を示す概念図である。
【図５】従来のくじシステムの構成を示すシステム構成図である。
【発明を実施するための最良の形態】
【００２３】
本発明の実施するための形態について、以下添付図面を用いて説明する。
図１に示すように、本実施例にかかる販売促進システム１０は、サーバ装置１１と、上記サーバ装置１１に広域ネットワーク１２を介して接続しうる携帯電話機１３とから構成され、上記サーバ装置１１は、上記携帯電話機１３に対して所定の項目の入力を要求する入力項目要求手段１４と、上記携帯電話機１３から入力された、所定の入力項目３０を受信する入力項目受信手段１５と、上記携帯電話機１３に対して、くじゲーム画面４３を表示するくじゲーム画面表示手段１６と、上記入力項目受信手段１５で入力された項目を解析し、その解析結果に応じてくじの当否を決定する当否決定手段１７と、上記携帯電話機１３に上記くじの当否結果を送信する当否結果送信手段１８とを備えている。
また、上記サーバ装置１１は、接続した携帯電話機１３の固有情報３３を取得して保存する携帯端末装置情報保存手段１９と、新たな携帯電話機１３からの接続要求があった場合に、上記携帯端末装置情報保存手段１９によって保存された携帯端末固有情報保存データ２０と、新たに接続された携帯電話機１３の固有情報３３とを比較することによって、既に接続済みであるか否かを判別すると共に、重複接続であった場合は、接続を禁止する重複接続防止手段２１とを備えている。
また、上記携帯電話機１３は、二次元コード２２の読み取り手段２３を備え、上記二次元コード２２に記録された上記サーバ装置１１への接続用アドレスを読み込むことによって、上記サーバ装置１１に接続する。
また、上記入力項目要求手段１４によって要求される入力項目３０には、上記携帯電話機１３の使用者の個人情報３４又は、商品毎に設定されるアンケート情報３５が含まれ、上記個人情報３４には、上記携帯端末装置の使用者の氏名、住所、年齢、国籍、性別、メールアドレス、生年月日、家族構成、趣味、食物嗜好、学歴、年収等から適宜選択されたものから構成されている。
また、図４に示すように上記入力項目３０は、複数の階層３０ａ、３０ｂ、から構成され、上位階層の入力項目３０ａの入力内容によって、下位階層の入力項目３０ｂを決定する入力項目制御手段２４を備えている。
【実施例１】
【００２４】
以下添付図面を用いて携帯端末装置が携帯電話機の場合を例として本実施例の構成について詳述する。
図１は、本実施例にかかる販売促進システム１０の構成を示す概念図である。
図１に示すように、携帯端末装置は一般的に市販されている携帯電話機１３である。
【００２５】
また、二次元コード２２は、水平方向と垂直方向に情報を持つ表示方式のコードを示し、所謂一次元コードバーコードと比較してより多くの情報をコード化でき、また印字面積を小さくできるという利点を有している。
本実施例にあっては、上記二次元コード２２は例えばＱＲコード（登録商標）を想定しているが、一次元バーコードを上下に複数重ねた所謂スタック式コードを用いた場合であって同様である。
なお、二次元コードの読み取りが不良である場合などは、直接サーバ装置１１の接続アドレス（ＵＲＬ）を手入力することもできる。
【００２６】
また、上記二次元コード２２の読み取り手段２３は、上記市販の携帯電話機１３に内蔵されているカメラ機能に該当する。
また、携帯電話機１３の固有情報とは、携帯電話機１３毎に有する端末コード等であり、通常、携帯電話機１３内に搭載されているＩＣチップ等に記録されている。
また、上記サーバ装置１１の入力項目要求手段１４、くじゲーム画面表示手段１６、当否結果送信手段１８による上記携帯電話機１３に対する表示要求の内容は、全て上記携帯電話機１３の液晶表示部に表示される。
【００２７】
また、図１に示すように、上記サーバ装置１１は、パーソナルコンピュータ等から構成されており、上記パーソナルコンピュータは、一台であっても、複数台に各機能を分散させてもよい。
また、上記サーバ装置１１と広域ネットワーク１２との接続は、無線ＬＡＮ、若しくは有線ＬＡＮいずれの形態であっても可能である。
【００２８】
また、図４は本実施例にかかる入力項目３０の階層構造の一例を示す概念図である。図４に示すように、第一階層の入力項目３０ａにて選択された内容に従って、上記入力項目制御手段２４は、次に表示する第二階層の入力項目３０ｂが決定する。
【００２９】
以下本実施例の作用について添付図面を用いて説明する。
【００３０】
図１において、携帯電話機１３にて、二次元コードであるＱＲコード（登録商標）を読み込み、サーバ装置１１に接続した場合、サーバ装置１１の携帯端末装置情報保存手段１９によって、当該携帯電話機１３の固有情報３３が取得される。
【００３１】
上記固有情報３３は、上記サーバ装置１１の重複接続防止手段２１によって、固有情報保存データ２０の保存内容と比較され、重複接続でないと判断された場合には、図３に示す初期画面４０が表示される。
【００３２】
上記初期画面４０において、応募ボタン４１を押下することにより、図１に示すサーバ装置１１の入力項目要求手段１４によって、図３に示す入力項目画面４２が表示される。
【００３３】
上記入力項目画面４２より所定の項目を選択した場合、選択された入力項目３０は、図１に示すように、上記サーバ装置１１の入力項目受信手段１５によって受信される。
【００３４】
また、図３に示すように、入力項目３０が、第一階層の入力項目３０ａと第二階層の入力項目３０ｂとから構成される場合には、図３において、第一階層の入力項目３０ａは、図１に示す入力項目受信手段１５で受信され、更に入力項目制御手段２４は、第一入力項目３０ａの選択内容に従って、上記入力項目画面４２の表示内容を所定の第二階層の入力項目３０ｂに切替える。
例えば、図３に示す例の場合は、第一階層の入力項目３０ａにおいて「お茶」が選択された場合は、第二階層の入力項目３０ｂは「お茶」に関する更に具体的製品名が表示される。
【００３５】
上記入力項目３０ａ，３０ｂを選択した後に、図１に示すくじゲーム画面表示手段１６により、上記携帯電話機１３の液晶表示部に図３に示すくじゲーム画面４３が表示される。
更に、図１に示す当否決定手段１７によって、上記入力項目３０ａ，３０ｂの選択内容があたり条件に合致するか否かが判断され、当否結果に基づいて、当否結果送信手段１８によって、上記くじゲーム画面４３が、当たり画面４３ａ、若しくは外れ画面４３ｂに切り替えられる。
なお、図２に示すように、上記くじゲーム画面４３にスタートボタン４３ｃ等を設け、上記スターボタン４３等を選択することでくじゲームがスタートする仕様とすることもできる。
【００３６】
また、図３に示すように、上記入力項目制御手段２４は、上記入力項目３０ａ、３０ｂの設定内容を基に、くじの当否を単に「当たり」と「外れ」だけでなく、「おまけ」のような小当たりに振り分けることもできる。
例えば図４の例の場合、「お茶」を好む顧客のうち、第二階層の入力項目３０ｂにおいて指定の商品を選択しなかった場合でも、それらの顧客「外れ」とせずに「おまけ」のような小当たりを提供することができる。
【００３７】
上記実施例によれば、入力項目３０の内容を調整することによって、任意の販売ターゲットに対してのみ、「当たり」のくじ結果を提供し、試供品及び懸賞品等を受け渡すことが可能となる。
従って、少ない数の試供品及び懸賞品等で高い宣伝広告効果を得ることができ、販売促進費用を大幅に削減することが可能となる。
更に、くじの結果を単に「当たり」、「外れ」の２段階のみではなく、必要に応じて、多数の属性に振り分けることができるため、例えば複数の商品について、複数の試供品及び懸賞品等に振り分けるような、所謂同時キャンペーンを行う場合等であっても、本実施例を適用することができる。
従って、コンビニエンスストアのように多数の商品を取り扱う店舗における販売促進キャンペーンに極めて有効である。
【００３８】
また、図３に示すように、当たり画面４３ａ、若しくは外れ画面４３ｂを出力した後に、顧客の個人情報を取得するために、更に別途の応募を促す画面４４、メール発送の可否等、個人情報の入力要求画面４５等を出力する仕様とすることもできる。
【００３９】
なお、本実施例で示した入力項目３０（３０ａ，３０ｂ）は一例であり、入力項目３０の項目内容、及び階層数は、自由に変更することができる。
例えば、図２に示すように顧客の個人情報３４である「性別」、「年齢」、とアンケート情報３５である「その他質問事項」を組み合わせ、夫々第一階層の入力項目３０ａ、第二階層の入力項目３０ｂ、及び第三階層の入力項目３０ｃとすることもできる。
上記によって、顧客を更に詳細に分類し、分類された顧客毎に別途の特典を提供することもできるため、多種の顧客層に対して高い販売促進効果を得ることが可能である。
また、収集したデータは販売促進の目的以外にも、顧客の嗜好、趣味等、将来的な販売計画にとって、重要な情報を含んでいることから、経営方針、営業方針の決定にも非常に有効に活用することができる。
また、試供品等は必ずしも有体物である必要は無く、例えば所定の割引特典の提供、各種ポイントであっても良く、幅広い業種において本実施例を適用することができる。
【産業上の利用可能性】
【００４０】
本発明は、販売促進用の試供品及び懸賞品等を特定のターゲット顧客に配布する販売促進システムに適用することができる。
【符号の説明】
【００４１】
１０  販売促進システム
１１  サーバ装置
１２  広域ネットワーク
１３  携帯電話機
１４  入力項目要求手段
１５  入力項目受信手段
１６  くじゲーム画面表示手段
１７  当否決定手段
１８  当否結果送信手段
１９  携帯端末装置情報保存手段
２０  固有情報保存データ
２１  重複接続防止手段
２２  二次元コード
２３  読み取り手段
２４  入力項目制御手段
３０  入力項目
３０ａ第一階層の入力項目
３０ｂ第二階層の入力項目
３０ｃ第三階層の入力項目
３３  固有情報
３４  個人情報
４０  初期画面
４１  応募ボタン
４２  入力項目画面
４３  くじゲーム画面
４３ａ当たり画面
４３ｂ外れ画面
４３ｃくじスタートボタン
４４  別途の応募を促す画面
４５  個人情報の入力要求画面
５０  従来のくじシステム
５１  通信回線
５２  くじ販売サーバ
５３くじ購入端末
５４  パラメータ獲得手段
５５  くじ購入手段
５６  通信手段
５７  通信制御手段
５８  番号発行手段
５９  追加パラメータ獲得手段
６０  くじ記録手段
【図１】
2011085965.tif 000003
【図２】
2011085965.tif 000004
【図３】
2011085965.tif 000005
【図４】
2011085965.tif 000006
【図５】
2011085965.tif 000007